(57)【特許請求の範囲】
【請求項１】
物理量を計測する物理量計測手段と、
モータにより回転駆動されて物理量の計測値を指し示す情報指針と、
前記物理量計測手段により計測された計測値を、前記情報指針により指し示すための目盛が表示された目盛部と、
前記情報指針により、前記目盛部の目盛を指し示して表せる物理量計測値の上下範囲を数値表示により指定する表示部と、
前記モータに電力を供給する電池と、
前記電池の電圧を検出する電圧検出手段と、
前記電圧検出手段による電圧検出値が第１の設定電圧以下に低下した場合に、前記物理量計測手段による計測値の変化に応じて回転駆動される情報指針の回転駆動範囲を小さく抑えるように、前記情報指針で指し示す前記表示部の数値表示の範囲を大きくさせる表示変更制御手段と、
前記物理量の計測値を、前記情報指針により、前記表示部に表示された前記数値表示の範囲に応じた目盛で指し示す指針位置制御手段と、
を備えることを特徴とする電子時計。
【請求項２】
前記電圧検出手段によって検出された電圧検出値が前記第１の設定電圧よりも低い第２の設定電圧以下になった場合に、前記情報指針を前記目盛部の所定の目盛を指し示す位置に停止させる指針停止手段をさらに備え、前記表示変更制御手段は、前記表示部における数値表示の範囲の差分を所定の値に固定させて、前記情報指針を前記目盛部の所定の目盛を指し示す位置に停止させた状態で、前記物理量計測手段により計測された計測値を指し示せるようにしたことを特徴とする請求項１記載の電子時計。
【請求項３】
前記表示部に表示して指定する数値表示は、前記目盛部の目盛を前記情報指針によって指し示せる物理量計測値の前記目盛の分解能における最大値および最小値であることを特徴とする請求項１又は２に記載の電子時計。
【請求項４】
前記表示部は、前記目盛部の目盛を前記情報指針によって指し示せる物理量計測値の前記目盛の分解能における最大値および最小値をそれぞれ別個に表示する２つの表示部で構成されることを特徴とする請求項３記載の電子時計。
【請求項５】
前記物理量は、温度、高度、気圧の何れか一つであることを特徴とする請求項１〜４の何れか一項に記載の電子時計。
【請求項６】
物理量を計測する物理量計測手段と、
モータにより回転駆動されて物理量の計測値を指し示す情報指針と、
前記物理量計測手段により計測された計測値を、前記情報指針により指し示すための目盛が表示された目盛部と、
前記情報指針により、前記目盛部の目盛を指し示して表せる物理量計測値の上下範囲を数値表示により指定する表示部と、
前記モータに電力を供給する電池と、
前記電池の電圧を検出する電圧検出手段と、
前記電圧検出手段による電圧検出値が第１の設定電圧以下に低下した場合に、前記物理量計測手段による計測値の変化に応じて回転駆動される情報指針の回転駆動範囲を小さく抑えるように、前記情報指針で指し示す前記表示部の数値表示の範囲を大きくさせる表示変更制御手段と、
前記物理量の計測値を、前記情報指針により、前記表示部に表示された前記数値表示の範囲に応じた目盛で指し示す指針位置制御手段と、
を備えることを特徴とする電子機器。
【発明の詳細な説明】
【技術分野】
【０００１】
この発明は、アナログ表示部およびデジタル表示部を備える電子時計及び電子機器に関する。
【背景技術】
【０００２】
アナログ表示としての指針とデジタル表示としての液晶等の表示部を有している電子時計において、指針を動かすためのモータの消費電力は、デジタル表示部の表示における消費電力に比べて非常に大きい。そこで、時計のバッテリ（電池）残量が少なくなってくると、指針の動きになんらかの制限をかけることにより消費電力を抑制する技術が考えられている。特許文献１には、バッテリレベル（電池電圧）に応じて、先ず、秒針の運針を停止、次に、秒針および時分針の運針を停止してデジタル表示部の表示のみとする技術が開示されている。
【先行技術文献】
【特許文献】
【０００３】
【特許文献１】特開２００５−８３９７９号公報
【発明の概要】
【発明が解決しようとする課題】
【０００４】
しかしながら、このような指針を順次停止する方法では、指針の機能は停止し、アナログ表示としての情報が完全に失われてしまうという課題が存在していた。
【０００５】
本発明の目的は、かかる従来の課題に鑑みてなされたものであり、バッテリレベル（電池電圧）が低下してきた場合にも、できるだけ最後まで指針によるアナログ情報を完全に失うことのないような電子時計及び電子機器を提供することにある。
【課題を解決するための手段】
【０００６】
本発明は、上記目的を達成するため、
物理量を計測する物理量計測手段と、
モータにより回転駆動されて物理量の計測値を指し示す情報指針と、
前記物理量計測手段により計測された計測値を、前記情報指針により指し示すための目盛が表示された目盛部と、
前記情報指針により、前記目盛部の目盛を指し示して表せる物理量計測値の上下範囲を数値表示により指定する表示部と、
前記モータに電力を供給する電池と、
前記電池の電圧を検出する電圧検出手段と、
前記電圧検出手段による電圧検出値が第１の設定電圧以下に低下した場合に、前記物理量計測手段による計測値の変化に応じて回転駆動される情報指針の回転駆動範囲を小さく抑えるように、前記情報指針で指し示す前記表示部の数値表示の範囲を大きくさせる表示変更制御手段と、
前記物理量の計測値を、前記情報指針により、前記表示部に表示された前記数値表示の範囲に応じた目盛で指し示す指針位置制御手段と、
を備えることを特徴とする電子時計である。
【発明の効果】
【０００７】
本発明に従うと、バッテリレベルが低下しても指針の動きが、できるだけ最後まで失われない電子時計及び電子機器を提供することができる。
【図面の簡単な説明】
【０００８】
【図１】本発明の実施形態に係る電子時計１の正面図である。
【図２】電子時計１の全体構成を示すブロック図である。
【図３】電子時計１の文字板７部分を、分針３、時針４を省略した状態で示した図である。
【図４】電子時計１の文字板７部分を、分針３、時針４を省略した状態で示した他の例を示す図である。
【図５】本発明の実施形態に係る、小針５による温度表示を説明するための図である。
【図６】本発明の実施形態に係る、バッテリレベルが最も低下した状態での小針５による温度表示を説明するための図である
【図７】本発明の実施形態の「レンジ切替処理」の制御手順を示すフローチャートである。
【発明を実施するための形態】
【０００９】
以下、本発明の実施形態を図面に基づいて説明する。
【００１０】
図１は、本発明の実施形態に係る電子時計１の正面図である。図２は、電子時計１の全体構成を示すブロック図である。
【００１１】
電子時計１は、図１に示すように、時計ケース６で保持されている文字板７上で３本の指針（分針３、時針４、小針５）が回転して、時刻やその他の情報の表示を行うものである。分針３および時針４は、文字板７の中心を軸に文字板７の全体で回転し、温度を指針する小針（情報指針）５は文字板７の９時位置に設けられた目盛部８の領域で回転する。文字板の上下２ケ所には時刻表示のための第１のＬＣＤ（液晶表示部）１６、第２のＬＣＤ１８が設けられる。また、操作ボタンＢ１〜Ｂ４が時計ケース６の側面に設けられている。
【００１２】
また、電子時計１は、図２に示すように、分針３および時針４を運針するための第１モータ１２および第１輪列機構１０と、小針５を運針するための第２モータ１３および第２輪列機構１１と、第１モータ１２をステップ駆動する駆動回路１４と、第２モータ１３をステップ駆動する駆動回路１５と、電子時計１の文字板７の２ケ所に設けられ時刻表示や種々の機能表示を行う第１のＬＣＤ（液晶表示部）１６、第２のＬＣＤ１８およびそれらをそれぞれ駆動するドライバ１７、１９と、外光により発電を行うソーラーセル２１と、ソーラーセル２１の発電電流を入力して蓄電する二次電池２１ａを有し各部に電力を供給する電源２２と、二次電池２２ａの出力レベルを検出する電圧検出部（電圧検出手段）２３と、外気温を検出する温度センサ（物理量計測手段）２４と、温度センサ２４の通電および計測周期を制御して温度計測を行う温度センサ制御部（物理量計測手段）２５と、計時のために一定周期の信号を生成する発振回路３３および分周回路３４と、計時を行う計時回路３５と、複数の操作ボタン（Ｂ１〜Ｂ４）を有し外部指令を入力する操作部４０と、時計全体の制御を行うＣＰＵ（中央演算処理装置）３０と、ＣＰＵ３０に作業用のメモリ空間を提供するＲＡＭ３１（Random Access Memory）と、ＣＰＵ３０が実行する制御プログラムや制御データが格納されたＲＯＭ（Read Only Memory）３２と、アラーム音を出力するためのブザー回路４１およびスピーカ４２等を備えている。
【００１３】
ＲＯＭ３２には、時間の経過に伴って計時と運針とを行って指針３、４およびＬＣＤ１６、１８により時刻を表示したり、操作部４０を介して入力される操作指令に基づいてアラーム設定を行ったりするメイン制御処理のプログラムや、温度表示における「レンジ切替処理」のプログラム等のプログラムおよび、「温度表示最大値・最小値の組み合わせテーブル」が格納されている。
【００１４】
第１、第２モータ１２、１３は、正転と逆転にそれぞれ駆動可能なステッピングモータである。駆動回路により第１、第２モータ１２、１３に駆動パルスが出力されることで、ステッピングモータのロータが所定角度（例えば１８０°）ずつ回転する。駆動パルスの波形を変更することで、ロータは正転側に駆動したり、逆転側に駆動したりする。第１、第２輪列機構１０、１１は、伝達機構を構成するものであり、対応する第１、第２モータ１２、１３のロータの回転運動を、対応する指針まで伝達する複数の歯車が連結されて構成される。
【００１５】
二次電池２２ａは、ソーラーセル２１により発電された電力を、電気化学反応を利用して蓄えたり放電を行ったりするものである。
【００１６】
温度センサ制御部２５は、温度センサ２４にて温度測定する直前に温度センサ２４に電力を供給し、温度センサ２４により温度計測し、計測終了後、電力供給を停止する。所定のモードの場合には、温度センサ２４を連続通電しつつ一定間隔で温度計測する。
【００１７】
電圧検出部２３は、ＣＰＵ３０の指令によって、二次電池２２ａの出力電圧（バッテリレベル）を測定して、その測定値をデジタル変換してＣＰＵ３０に送る。
【００１８】
次に、上記のように構成された電子時計１の動作について説明する。
【００１９】
先ず、時刻表示は、時針４、分針３で時刻を表示する他、図１に示すように第１のＬＣＤ１６で秒表示を、第２のＬＣＤ１８で時分および午前／午後の別を表示する。第１のＬＣＤ１６、第２のＬＣＤの動作は以下で詳述する。
【００２０】
次に、電子時計１における、小針５による温度表示の動作について図３〜図６を参照して説明する。図３は、電子時計１の文字板７部分を、分針３、時針４を省略した状態で示した図である。図４は、電子時計１の文字板７部分を、分針３、時針４を省略した状態で示した他の例を示す図である。図５は、本発明の実施形態に係る、小針５による温度表示を説明するための図である。図６は、本発明の実施形態に係る、バッテリレベルが最も低下した状態での小針５による温度表示を説明するための図である。
【００２１】
第１のＬＣＤ１６は、図３および図１に示すように文字板７の上側に配置され、曜日・時刻（秒）を表示する領域（図３の上右側）と、目盛部８における温度表示の最大値を表示する領域（図３の上左側）に分かれて構成されている。第２のＬＣＤ１８は、図３および図１に示すように、文字板７の下側に配置され、時刻（時、分）および午前／午後を示すＰ（Ｐが表示されていれば午後）を表示する領域（図３の下右側）と、目盛部８における温度表示の最小値を表示する領域（図３の下左側）に分かれて構成されている。温度表示の最大・最小値を表示する領域は、それぞれ、７セグメント駆動方式である２個の領域と、その左側に位置するマイナスおよび１が表示できる領域から構成されている。したがって、温度表示最大値はプラス１９９度まで、温度表示最小値はマイナス１９９度まで表示可能となっている。そして、目盛部８には、５０等分された目盛線が円弧状に刻まれている。
【００２２】
なお、図３、図１においては、第１のＬＣＤ１６、第２のＬＣＤ１８は、目盛部８における目盛を小針５によって指し示せる温度の最大値、最小値を表示しているが、それと異なる構成も可能である。図４は、電子時計１の文字板７部分を、分針３、時針４を省略した状態で示した他の例を示している。図４では、第１のＬＣＤ１６０、第２のＬＣＤ１８０は、目盛部８０における目盛を小針５によって指し示せる温度の最大値、最小値ではない第１の値、第２の値を表示している。
【００２３】
ここで、第１のＬＣＤ１６、第２のＬＣＤ１８が目盛部８における目盛を小針５によって指し示せる温度の最大値、最小値を表示している場合における、最大値と最小値で規定される範囲を「温度計測値の上下範囲」と表現する。また、図４において、第１のＬＣＤ１６０、第２のＬＣＤ１８０が目盛部８０における目盛を小針５によって指し示せる温度の最大値、最小値ではない第１の値、第２の値を表示している場合における、第１の値、第２の値で規定される範囲もまた、「温度計測値の上下範囲」と表現する。すなわち、目盛部８の最大目盛、最小目盛に対応する温度を第１のＬＣＤ１６、第２のＬＣＤ１８が指定すること、または、最大値、最小値ではない途中の２つの目盛に対応する温度を第１のＬＣＤ１６０、第２のＬＣＤ１８０が指定すること、の双方を含める意味で、「温度計測値の上下範囲を数値表示により指定する」と表現する。
【００２４】
図５は、電子時計１の小針５で温度２２．５度を表示する場合を示している。図５（ａ）では、温度表示最大値が５０度、温度表示最小値が１０度に設定されている。この場合、１目盛は０．８度（分解能０．８度）である。小針５は表示範囲の中央やや下を指針することで、２２．５度を表示している。図５（ｂ）では、温度表示最大値が３０度、温度表示最小値が２０度に設定されている。この場合、１目盛が０．２度（分解能０．２度）である。小針５は表示範囲の下限近くを指針することで、２２．５度を表示している。図５（ｃ）では、ＬＣＤ温度表示最大値が２５度、温度表示最小値が２０に設定されている。この場合、１目盛が０．１度（分解能０．１度）である。小針５は表示範囲の中央を指針することにより、２２．５度を表示している。
【００２５】
このように、図５（ａ）、（ｂ）、（ｃ）では、小針５が共に２２．５度を表示しているにもかかわらず、小針５の指針位置はそれぞれ異なっている。すなわち、温度表示最大値、温度表示最小値の組み合わせを予め複数設定しておき、その組み合わせを変更することにより、温度表示範囲を変更することができる。また、同じ表示温度であっても、小針５の指針位置を異ならせることができる。
【００２６】
図５において、同一温度範囲における小針５が駆動される角度範囲（回転駆動範囲）を比較すると、回転駆動範囲が広い順に（ｃ）＞（ｂ）＞（ａ）となる。バッテリレベルが十分に高いときには図５（ｃ）の条件を選択すれば、温度分解能が高く、温度変化を良好に判別することができる。その一方で、小針５の回転駆動は大きくなり、消費電力は増大する。したがって、バッテリレベルが低くなってきたときには図５（ｃ）のように分解能が高い仕様は、二次電池に負荷がかかる。モータの消費電力は温度計測や液晶表示時の消費電力よりも概ね１桁大きいからである。
【００２７】
そこで、バッテリレベルの低下に応じて、温度表示最大値・最小値の組み合わせを、たとえば図５（ｃ）、（ｂ）、（ａ）の順序（分解能が徐々に低くなる方向）に変更する。つまり、バッテリレベルが低下した場合に、小針５の回転駆動を抑制するために、表示部（第１のＬＣＤ１６および第２のＬＣＤ１８）の数値表示による目盛部の数値範囲を大きくさせる。逆に、ソーラーセルの発電により二次電池２２ａが充電され、二次電池２２ａのバッテリレベルが上がった場合は、温度表示最大値・最小値の組み合わせを、数値範囲を小さくさせる（分解能を高くさせる）方向に変更していく。
【００２８】
次に、バッテリレベルが最も低下し、予め定められた設定電圧以下になった状態では、図６（ａ）〜（ｃ）に示すような温度表示を行う。すなわち図６（ａ）〜（ｃ）では、小針５の指針は、「目盛部の所定の目盛を指し示す角度位置」の一例として、文字板７の９時方向の位置で停止される。また、第１のＬＣＤ１６、第２のＬＣＤ１８で構成される表示部の数値表示の範囲の差分すなわち、「温度表示最大値と温度表示最小値の差」を１０度に固定する。１目盛は０．２度（分解能０．２度）である。
【００２９】
図６（ａ）では、温度表示最大値を３０度、温度表示最小値を２０度とすることで、小針５に表示温度２５度を示させる。図６（ｂ）では、温度表示最大値を２８度、温度表示最小値を１８度とすることで、小針５に表示温度２３度を示させる。さらに図６（ｃ）では、温度表示最大値を２９度、温度表示最小値を１９度とすることで、小針５に表示温度２４度を示させる。すなわち、小針５は回転駆動されず、温度表示最大値と温度表示最小値を、表示すべき温度の変化に連動して変化させることで、実質的に小針５で温度表示する。
【００３０】
このように、小針５の指針は動かさずに、表示部における数値表示の範囲の差分すなわち、「温度表示最大値と温度表示最小値の差」を固定して、温度表示最大値・温度表示最小値を表示更新することで、バッテリレベルが極めて低くなっても、ギリギリの状態まで小針５の機能を実質的に継続させることができる。
【００３１】
次に、上記の切替制御処理についてフローチャートに基づいて詳細に説明する。
【００３２】
図７は、本発明の実施形態の「レンジ切替処理」の制御手順を示すフローチャートである。バッテリの基準電圧値として、ハイ（ＨＩＧＨ）、ミドル（ＭＩＤ）末期、ミドル（ＭＩＤ）、ロウ（ＬＯＷ）の４つの電圧値が予め定められているものとする。また、「レンジ切替処理」の始めの時点において、表示分解能は０．１度に設定されており、バッテリレベルはハイよりも高いと仮定する。
【００３３】
「レンジ切替処理」が開始されると、ＣＰＵ３０は、先ず、電圧検出部２３による二次電池２２ａのバッテリレベルを検出し、バッテリレベルがハイよりも高いか否かを判別する（ステップＳ１）。バッテリレベルがハイよりも高いと判断されると「ＹＥＳ」へ分岐して、温度表示の分解能を０．１度に設定（温度表示最大値と温度表示最小値の差を５度に設定）する（ステップＳ２）。なお、当初の分解能が０．１度であるので実際には設定値は維持される。
【００３４】
次に、ＣＰＵ３０は、小針５の現在の指針位置が更新すべき指針位置であるか、温度センサの計測値を基に確認し（ステップＳ９）、更新すべきと判断されると「ＮＯ」へ分岐して、小針５を所望の位置に運針する（ステップＳ１０）。ステップＳ９にて、更新する必要がないと判断されると、「ＹＥＳ」に分岐して、ＣＰＵ３０は、小針５を運針させない。言い換えると、小針５を回転駆動させない。
【００３５】
次に、ＣＰＵ３０は、ＬＣＤ表示更新を行う（ステップＳ１２）。ＬＣＤ表示更新とは、温度表示最大値、温度表示最小値の値を更新することをいう。当初が分解能０．１度で、設定分解能０．１度であるので、同じ値に表示更新される。すなわち、同じ値に書替えられる。そして終了する。
【００３６】
ステップＳ１において、バッテリレベルがハイよりも低いと判断されると、「ＮＯ」へ分岐して、ＣＰＵ４１は、電圧検出部２３による二次電池２２ａのバッテリレベルがミドルよりも高いか否かを判別する（ステップＳ３）。ステップＳ３にて、バッテリレベルがミドルよりも高いと判断されると、「ＹＥＳ」へ分岐し、さらに、バッテリレベルがミドル末期よりも高いか否かを判別する（ステップＳ４）。バッテリレベルがミドル末期より高い場合は「ＮＯ」へ分岐して、温度表示の分解能を０．２度に設定する（ステップＳ５）。ステップＳ４において、バッテリレベルがミドル末期より低い場合は「ＹＥＳ」へ分岐して、温度表示の分解能を０．４度に設定する（ステップＳ６）。
【００３７】
次に、ＣＰＵ３０は、小針５の現在の指針位置が更新すべき指針位置であるか、温度センサの計測値を基に確認し（ステップＳ９）、更新すべきと判断されると「ＮＯ」へ分岐して、小針５を所望の位置に運針する（ステップＳ１０）。ステップＳ９にて、更新する必要がないと判断されると、「ＹＥＳ」に分岐して、ＣＰＵ３０は、小針５を運針させない。
【００３８】
次に、ＣＰＵ３０は、ＬＣＤ表示更新を行う（ステップＳ１２）。当初が分解能０．１度で、設定分解能は０．２度、または、０．４度となっているので、０．２度、または、０．４度に対応する表示に更新される。具体的には、ＲＯＭ３２には分解能とそれに対応する「温度表示最大値・最小値の組み合わせを掲載した「温度表示最大値・最小値の組み合わせテーブル」が格納されており、そのテーブルに基づき０．２度、または、０．４度に対応する表示に変更する。そして終了する。
【００３９】
ステップＳ３において、バッテリレベルがミドルよりも低いと判断されると、「ＮＯ」へ分岐して、ＣＰＵ３０は、電圧検出部２３による二次電池２２ａのバッテリレベルを検知して、バッテリレベルがロウよりも高いか否か判断する（ステップＳ７）。
【００４０】
ステップＳ７にて、バッテリレベルがロウよりも高いと判断されると、「ＹＥＳ」へ分岐して、分解能を１度に設定する（ステップＳ８）。
【００４１】
次に、ＣＰＵ３０は、小針５の現在の指針位置が更新すべき指針位置であるか、温度センサの計測値を基に確認し（ステップＳ９）、更新すべきと判断されると「ＮＯ」へ分岐して、小針５を所望の位置に運針する（ステップＳ１０）。ステップＳ９にて、更新する必要がないと判断されると、「ＹＥＳ」に分岐して、ＣＰＵ３０は、小針５を運針させない。
【００４２】
次に、ＣＰＵ３０は、ＬＣＤ表示更新を行う（ステップＳ１２）。当初が分解能０．１度で、設定分解能は１度となっているので、分解能１度に対応する表示に更新される。具体的には、ＲＯＭ３２に格納されている「温度表示最大値・最小値の組み合わせテーブル」に基づき１度に対応する表示に変更する。そして終了する。ここでＣＰＵ３０、ステップＳ１〜ステップＳ８、および、ステップＳ１２が表示変更制御手段である。また、ＣＰＵ３０、ステップＳ９、ステップＳ１０が指針位置制御手段である。
【００４３】
さらに、ステップＳ７において、バッテリレベルがロウより低い場合には、ＣＰＵ３０は、小針を文字板７の９時の方向に固定させる（ステップＳ１１）。ここで、ロウ（ＬＯＷ）が「予め定められた設定電圧」である。そして、温度表示レンジは、たとえば１０度に設定し、温度表示最大値、温度表示最小値の値を温度測定値に基づきＣＰＵ３０が演算し、ＬＣＤ表示更新する（ステップＳ１２）。そして終了する。ここでＣＰＵ３０とステップＳ１１が指針停止手段である。また、バッテリレベルがロウより低い場合における、ＣＰＵ３０とステップＳ１２も表示変更制御手段である。
【００４４】
以上のようにバッテリレベルによって小針５による表示方法を変えていくことにより、電力が低下してきた場合にも駆動電圧限界までアナログ情報を完全に失うことのないような小針５によるアナログ表示が可能となる。
【００４５】
さて、電子時計１は、複数の温度測定モードを備えている。今までの説明は通常測定モードに関してであった。通常温度測定モードの温度計測間隔は例えば２分毎である。通常測定モードの他に、温度測定専用モードも備えている。温度測定専用モードで、例えば２秒に１回計測する。既述の通り、温度測定に際して、センサは測定の直前に電源を入れてから、計測するのであるが、温度測定専用モードではセンサ電源は常時入電させて計測する。
【００４６】
また、専用モードでは、「レンジ切替処理」は実施しない。なぜならば、温度測定専用モードでは、頻繁な測定によりバッテリレベルが短期低下を起こし電圧測定誤差が大きくなる可能性があること、レンジが頻繁に変更されると却って使用者の利便性を損なうおそれがあることを考慮している。
【００４７】
以上のように、本実施形態に係る電子時計１では、電圧検出部（電圧検出手段）２３による二次電池２２ａ等の電池の電圧検出値が低下した場合に、温度などの物理量計測手段による計測値の変化に応じて回転駆動される小針（情報指針）５の回転駆動範囲を小さく抑えるように、情報指針の表示部１６、１８の数値表示の範囲を大きくさせる表示変更制御手段と、温度等の物理量の計測値を、小針（情報指針）５により、表示部１６、１８に表示された数値範囲に応じた目盛で指し示す指針位置制御手段とを備えているので、バッテリレベルが低下しても指針の動きが、できるだけ最後まで失われない電子時計を提供することができる。
【００４８】
また、電圧検出部（電圧検出手段）２３によって検出された電圧が予め定められた設定電圧（例えば、ロウ（ＬＯＷ））以下になった場合に、小針（情報指針）５を目盛部８の所定の目盛を指し示す角度位置に停止させる指針停止手段をさらに備え、表示変更手段は、表示部の数値表示の範囲の差分を所定の値に固定させて、情報指針５を目盛部８の所定の目盛を指し示す角度位置に停止させた状態で、物理量計測手段により計測された計測値を指し示せるようにしたことにより、バッテリレベルが極めて低くなっても、ギリギリの状態まで小針（情報指針）５の機能を実質的に継続させることができる。
【００４９】
また、表示部に表示して指定する数値表示は、目盛部の目盛の最大値および最小値であるように構成されているので、目盛部の目盛の識別が容易になる。
【００５０】
また、表示部は、それぞれ別個に表示する２つの表示部で構成され、それぞれの表示部は目盛部の目盛を情報指針によって指し示せる計測表示の最大値および最小値を表示するように構成されているので、表示部の構成配置の自由度が高くなる。
【００５１】
なお、本発明は、上記形態に限られるものではなく、様々な変更が可能である。例えば、本実施形態では、表示対象は温度で説明したが、それに限定されない、例えば、気圧、高度といった物理量でも良い。また、計測間隔は、２分、２秒でなくても良い。例えば、高度計測機能において、高度測定をセットした最初の１０分は、５秒に１回計測し、その後は２分に１回の計測としてもよく、その際２分に１回の計測において、バッテリレベルに応じた表示レンジ切替えを適用しても良い。さらに、二次電池２２ａの代わりに電池（一次電池）を用いてもよい。その際は、ソーラーセル２１は不要となる。
【００５２】
この場合、物理量は、温度、高度、気圧の何れか一つであることを特徴とするので、種々の物理量を電子時計に表示することができる。
【００５３】
本発明の実施形態を説明したが、本発明の範囲は上述の実施の形態に限定するものではなく、特許請求の範囲に記載された発明とその均等の範囲に含まれる。以下に、本願出願の当初の特許請求の範囲に記載された発明を付記する。
［付記］
＜請求項１＞
物理量を計測する物理量計測手段と、
モータにより回転駆動されて物理量の計測値を指し示す情報指針と、
前記物理量計測手段により計測された計測値を、前記情報指針により指し示すための目盛が表示された目盛部と、
前記情報指針により、前記目盛部の目盛を指し示して表せる物理量計測値の上下範囲を数値表示により指定する表示部と、
前記モータに電力を供給する電池と、
前記電池の電圧を検出する電圧検出手段と、
前記電圧検出手段による電圧検出値が低下した場合に、前記物理量計測手段による計測値の変化に応じて回転駆動される情報指針の回転駆動範囲を小さく抑えるように、前記情報指針で指し示す前記表示部の数値表示の範囲を大きくさせる表示変更制御手段と、
前記物理量の計測値を、前記情報指針により、前記表示部に表示された前記数値表示の範囲に応じた目盛で指し示す指針位置制御手段と、
を備えることを特徴とする電子時計。
＜請求項２＞
前記電圧検出手段によって検出された電圧が予め定められた設定電圧以下になった場合に、前記情報指針を前記目盛部の所定の目盛を指し示す位置に停止させる指針停止手段をさらに備え、前記表示変更制御手段は、前記表示部における数値表示の範囲の差分を所定の値に固定させて、前記情報指針を前記目盛部の所定の目盛を指し示す位置に停止させた状態で、前記物理量計測手段により計測された計測値を指し示せるようにしたことを特徴とする請求項１記載の電子時計。
＜請求項３＞
前記表示部に表示して指定する数値表示は、前記目盛部の目盛を前記情報指針によって指し示せる物理量計測値の最大値および最小値であることを特徴とする請求項１記載の電子時計。
＜請求項４＞
前記表示部は、前記目盛部の目盛を前記情報指針によって指し示せる物理量計測値の最大値および最小値をそれぞれ別個に表示する２つの表示部で構成されることを特徴とする請求項３記載の電子時計。
＜請求項５＞
前記物理量は、温度、高度、気圧の何れか一つであることを特徴とする請求項１記載の電子時計。
【符号の説明】
【００５４】
１    電子時計
３    分針
４    時針
５    小針（情報指針）
６    時計ケース
７    文字板
８、８０    目盛部
１０  第１輪列機構
１１  第２輪列機構
１２  第１モータ
１３  第２モータ
１４  駆動回路
１５  駆動回路
１６、１６０  第１のＬＣＤ（表示部）
１７  ドライバ
１８、１８０  第２のＬＣＤ（表示部）
１９  ドライバ
２１  ソーラーセル
２２  電源
２２ａ  二次電池
２３  電圧検出部（電圧検出手段）
２４  温度センサ（物理量計測手段）
２５  温度センサ制御部（物理量計測手段）
３０  ＣＰＵ（表示変更制御手段、指針位置制御手段、指針停止手段）
３１  ＲＡＭ
３２  ＲＯＭ
３３  発信回路
３４  分周回路
３５  計時回路
４０  操作部
４１    ブザー回路
４２    スピーカ
【図１】
0006010886.tif 000002
【図２】
0006010886.tif 000003
【図３】
0006010886.tif 000004
【図４】
0006010886.tif 000005
【図５】
0006010886.tif 000006
【図６】
0006010886.tif 000007
【図７】
0006010886.tif 000008